(57)【要約】【課題】本発明は、締結具のステムを把持し引き込むことにより締結具を取り付けるための締結具取付け工具に関する。【解決手段】油圧シリンダと、締結具のステムを引き込むために油圧シリンダ内に配置されている油圧ピストンアセンブリとを含む。油圧ピストンアセンブリは、細長い引張り部品と別個の中空ピストン部品とを含み、この中空ピストン部品は、細長い引張り部品の上に組み付けられて細長い引張り部品が少なくとも部分的に中空ピストン部品を貫通して延在するようになっている。細長い引張り部品と中空ピストン部品とは異なる材料で形成されている。【選択図】図１
2016078123.tif 000002
【特許請求の範囲】
【請求項１】
締結具のステムを把持し、引き込むことにより締結具を取り付けるための締結具取付け工具（１）において、
油圧シリンダ（３９）と、締結具のステムを引き込むために油圧シリンダ内に配置されている油圧ピストンアセンブリ（３７）とを含み、
前記油圧ピストンアセンブリが、第１の引張り強度の細長い引張り部品（４１）と第２の引張り強度の別個の中空ピストン部品（４３）とを含み、該中空ピストン部品は、細長い引張り部品の上に組み付けられ、該細長い引張り部品が少なくとも部分的にその中を貫通して延在しており、前記細長い引張り部品と前記中空ピストン部品とが異なる材料で形成されており、前記第１の引張り強度が前記第２の引張り強度よりも小さいことを特徴とする締結具取付け工具。
【請求項２】
前記中空ピストン部品が、前記油圧ピストンアセンブリの油圧油と接触するピストン表面の少なくとも一部分を提供している、請求項１に記載の締結具取付け工具。
【請求項３】
前記中空ピストン部品が、前記油圧ピストンアセンブリの油圧油接触ピストン表面全体を実質的に提供している、請求項２に記載の締結具取付け工具。
【請求項４】
前記中空ピストン部品の材料が、前記細長い引張り部品の材料よりも低い密度を有し、前記中空ピストン部品がアルミニウムまたはアルミニウム合金で形成されている、請求項１〜３の何れか一項に記載の締結具取付け工具。
【請求項５】
前記中空ピストン部品の材料が、前記細長い引張り部品の材料よりも低い靱性を有し、前記細長い引張り部品が鋼または高強度鋼で形成されている、請求項１〜４の何れか一項に記載の締結具取付け工具。
【請求項６】
前記細長い引張り部品がストッパ部分（４７）を含み、該ストッパ部分に対して前記中空ピストン部品のストッパ領域（４９）が当接し、前記細長い引張り部品の前記ストッパ部分が横方向に外向きの突出部分を含んでいる、請求項１〜５の何れか一項に記載の締結具取付け工具。
【請求項７】
使用中、前記油圧シリンダ内のあらゆる油圧油が、前記細長い引張り部品の前記ストッパ部分に対して前記中空ピストン部品の反対側に位置している、請求項６に記載の締結具取付け工具。
【請求項８】
前記中空ピストン部品の少なくとも一部分が前記細長い引張り部品の前記ストッパ部分の少なくとも一部分の周りに延在しており、前記中空ピストン部品が前記細長い引張り部品上の所定の場所に固定されている、請求項６または７に記載の締結具取付け工具。
【請求項９】
前記中空ピストン部品が前記細長い引張り部品上に圧入されている、請求項８に記載の締結具取付け工具。
【請求項１０】
前記細長い引張り部品がその長さに沿って中空であり、使用中に、締結具の破断したステムが前記細長い引張り部品の前端部（５５）から後端部（５７）まで貫通して走行し、そこから放出されることを可能にしている、請求項１〜９の何れか一項に記載の締結具取付け工具。
【請求項１１】
前記細長い引張り部品と前記中空ピストン部品とが合わせて封止されて、それらの間を油圧油が流動するのを妨げている、請求項１〜１０の何れか一項に記載の締結具取付け工具。
【請求項１２】
前記細長い引張り部品と前記中空ピストン部品との間に配置され、それらの間を油圧油が流動するのを妨げている少なくとも１つのシール（５１）をさらに含み、前記中空ピストン部品がその周囲に１つ以上のシール（６１、６３）を担持して、前記ピストンアセンブリと前記油圧シリンダとの間を封止し、こうしてそれらの間を油圧油が流動するのを妨げている、請求項１〜１１の何れか一項に記載の締結具取付け工具。
【請求項１３】
前記中空ピストン部品が、前記細長い引張り部品の長さの一部分に沿って互いに離隔された少なくとも２つのこのような周囲シールを担持している、請求項１２に記載の締結具取付け工具。
【請求項１４】
前記中空ピストン部品が、前記中空ピストン部品の中空領域と前記中空ピストン部品の周囲との間を貫通して延在する開口部（６５）を２つの周囲シールの間の１つの場所に含み、前記開口部が前記細長い引張り部品の周囲とその中空領域の間に延在する第２の開口部（６７）と連通している、請求項１１〜１３の何れか一項に記載の締結具取付け工具。
【請求項１５】
前記中空ピストン部品が、２つの周囲シールの間に配置された軸受片（６９）をその周囲に担持している、請求項１３または１４に記載の締結具取付け工具。
【請求項１６】
前記細長い引張り部品が全体的に前記中空ピストン部品を貫通して延在している、請求項１〜１５の何れか一項に記載の締結具取付け工具。
【請求項１７】
前記細長い引張り部品の後部領域が、使用中に、締結具の破断したステムを前記油圧シリンダの後端部を超えて誘導するのを少なくとも補助するために、前記細長い引張り部品の残りの部分に取付けられるかまたはこの部分と一体として形成されている中空誘導部分を含んでいる、請求項１０〜１６の何れか一項に記載の締結具取付け工具。
【請求項１８】
バネ（７１）および／または他の弾性的に圧縮可能な手段が、前記細長い引張り部品のストッパ部分および／または前記中空ピストン部品の後部表面と接触している、請求項６〜１７の何れか一項に記載の締結具取付け工具。
【発明の詳細な説明】
【技術分野】
【０００１】
本発明は、締結具を取り付ける（すなわち配置または据付ける）ための締結具取付け工具に関する。詳細には、本発明は、リベットのステムの引き込み（引張り）、次にこのステムを破断することによって取付けるリベット、特にブラインドリベットを取り付けるための取付け工具に関する。
【背景技術】
【０００２】
締結具のステムを引き込み、ステムを破断させるために油圧ピストンおよびシリンダ構成を利用する、空気圧を動力とした締結具取付け工具は公知であり、長年にわたり使用されている。例えば、特許文献１、特許文献２および特許文献３という各特許公報が、このような工具を開示している。各々の場合において、ドローバー／ピストンロッドの前端部が、締結具把持アセンブリに対し取付けるように配置されており、油圧系統がドローバー／ピストンロッドにしっかりと固定されている。締結具ステムを引き込み、それを破断させることには高い力と圧力が関与し、そのために油圧系統が使用されている。例えば、油圧シリンダ内で生成されるピーク圧力は、典型的に４０ＭＰａの領域内にある。高い力と圧力そして締結具ステムの破断に付随する高い機械的衝撃のため、締結具把持およびピストンアセンブリを高強度および高靱性材料、すなわち高強度鋼で形成することも同様に必要となっている。
【先行技術文献】
【特許文献】
【０００３】
【特許文献１】米国特許第４，５１７，８２０号明細書
【特許文献２】英国特許第２１１６１０２Ａ号明細書
【特許文献３】欧州特許第０８２８５７５Ｂ１号明細書
【発明の概要】
【課題を解決するための手段】
【０００４】
本発明の第１の態様は、締結具のステムを把持し引き込むことにより締結具を取り付けるための締結具取付け工具において、油圧シリンダと、締結具のステムを引き込むために油圧シリンダ内に配置されている油圧ピストンアセンブリとを含み、油圧ピストンアセンブリが、第１の引張り強度の細長い引張り部品と第２の引張り強度の別個の中空ピストン部品とを含み、この中空ピストン部品は、細長い引張り部品の上に組付けられて細長い引張り部品が少なくとも部分的にその中を貫通して延在するようになっており、細長い引張り部品と中空ピストン部品とが異なる材料で形成されており、第１の引張り強度が第２の引張り強度よりも小さい締結具取付け工具を提供している。
【０００５】
好ましくは、中空ピストン部品は、油圧ピストンアセンブリの油圧油と接触するピストン表面の少なくとも一部分を提供しており、より好ましくは、中空ピストン部品は、油圧ピストンアセンブリの油圧油接触ピストン表面の実質的に全体を提供している。
【０００６】
本発明によると、意外なことに、締結具取付け工具の中空ピストン部品と細長い引張り部品とを同じ高強度および高靱性材料から形成する必要はないことが発見され、以下で説明するように、中空ピストン部品と細長い引張り部品とを異なる材料で形成することに付随する利点が存在することも同様に発見された。
【０００７】
本発明の好ましい実施形態において、中空ピストン部品の材料は、細長い引張り部品の材料よりも低い密度および／または低い靱性を有する。例えば、本発明の少なくとも一部の実施形態においては、中空ピストン部品の材料は、２．６５〜２．９５ｇ／ｃｍ3の範囲内の密度、例えば２．８ｇ／ｃｍ3の密度を有していてよく、かつ／または、少なくとも４００ＭＰａ、好ましくは少なくとも４５０ＭＰａ、そして好ましくは６００ＭＰａ以下、より好ましくは５５０ＭＰａ以下、例えばおよそ５００ＭＰａの引張り降伏強度を有していてよい。例えば、本発明の少なくとも一部の実施形態において、細長い引張り部品の材料は７．７５〜８．０５ｇ／ｃｍ3の範囲内の密度を有していてよく、かつ／または、少なくとも１４００ＭＰａ、好ましくは少なくとも１５００ＭＰａ、そして好ましくは２２００ＭＰａ以下、より好ましくは２０００ＭＰａ以下の引張り降伏強度を有していてよい。有利には、中空ピストン部品は、例えばアルミニウムまたはアルミニウム合金などの低密度金属材料で形成されていてよい。細長い引張り部品は好ましくは、鋼、より好ましくは高強度鋼で形成されている。
【０００８】
これまで締結具取付け工具の技術分野においては、すでに言及した理由で、すなわち使用の過程でピストンアセンブリが受ける高い圧力、力および衝撃を理由として、油圧ピストンアセンブリを高強度および高靱性材料、すなわち高強度鋼で形成する必要があると理解されていた。詳細には、工具の油圧系統に付随する高圧に加えて、リベット（または他の締結具）のステムが破断し、ステムが自由になった時点で生成される高い瞬間的曲げモーメントの結果として油圧ピストンアセンブリに対し大きい機械的衝撃が伝達されることになる。このような高い曲げモーメントは、ピストンアセンブリの細長い引張り部品のみならず、細長い引張り部品上に組付けられる中空ピストン部品にも影響を及ぼす。これまで当該技術分野では、締結具取付け工具の油圧系統が適切な耐久性を確実に有するようにするために、油圧ピストンアセンブリ全体を同じ高強度および高靱性材料で形成する必要があると理解されていた。しかしながら、本発明によると、今や、油圧ピストンアセンブリの中空ピストン部品を、細長い引張り部品を形成する材料に比べてより靱性および／または強度が低くかつ任意には靱性および／または強度が著しく小さい材料で形成してよい、ということが発見されている。例えば、意外なことに、細長い引張り部品が高強度鋼で形成されている一方で、中空ピストン部品をアルミニウムまたはアルミニウム合金などの低密度金属材料で形成してよいということが発見された。細長い引張り部品は有利には、締結具のステムの引き込みに付随する高い引張り強度のみならずステムの破断に付随する大きな機械的衝撃にも耐えるため、高強度および高靱性材料から形成される。しかしながら、中空ピストン部品は有利には、油圧系統の高圧および油圧ピストンアセンブリが受ける大きな機械的衝撃に耐える必要性にも関わらず、比較的低い強度および靱性を有する低密度材料で形成されてよい。
【０００９】
油圧ピストンアセンブリの中空ピストン部品と細長い引張り部品とを異なる材料で形成できることによって、各部分を別個に最適化できるという予想外の利点（当該技術分野におけるこれまでの理解とは異なる）が得られ、その結果メーカーとエンドユーザーの両方にとっての著しい恩恵がもたらされる。例えば本発明によると、今や、使用される高密度、高強度、高靱性材料の量を最小限に抑えること、ひいてはこのような材料の機械加工量（および関与する時間、労力およびコスト）を油圧ピストンアセンブリの一部分のみ、すなわち細長い引張り部品のみに最小化することも可能である。さらに、油圧ピストンアセンブリの中空ピストン部品に付随する重量、コストおよび機械加工の問題点を最小限に抑えることができる。その上、締結具取付け工具のユーザーには、細長い引張り部品および中空ピストン部品各々の材料および機能的特性を別個に最適化してよいことから、より耐久性のあるものでもあり得るより軽量の工具が提供される可能性がある。より軽量の工具は、その使用をより容易にする（特に工具が手持ち式である場合）可能性があり、かつ例えば（特に工具がロボット制御で使用されるかまたは自動取付け装置の一部である場合に）より大きな耐久性を提供するかもしれない。
【００１０】
好ましくは、油圧ピストンアセンブリの細長い引張り部品は、ストッパ部分を含み、このストッパ部分に対して中空ピストン部品のストッパ領域が当接する。細長い引張り部品のストッパ部分は好ましくは横方向に外向きの突出部分を含んでいる。使用中、油圧シリンダ内のあらゆる油圧油は、好ましくは、細長い引張り部品のストッパ部分に対して中空ピストン部品の反対側に位置している。有利には、中空ピストン部品の少なくとも一部分は、細長い引張り部品のストッパ部分の少なくとも一部分の周りに延在していてよい。
【００１１】
中空ピストンアセンブリの中空ピストン部品は、好ましくは、細長い引張り部品上の所定の場所に固定されている。例えば、中空ピストン部品は細長い引張り部品上に圧入されていてよい。しかしながら、例えばねじ付き付属品など、実質的にあらゆる固定タイプを使用してよい。
【００１２】
油圧ピストンアセンブリの細長い引張り部品と中空ピストン部品は、好ましくは、油圧油がそれらの間を流動するのを妨げるために、合わせて封止されている。例えば細長い引張り部品と中空ピストン部品の間に少なくとも１つのシール、例えばＯリングシールを配置してよい。シールはポリマー材料、例えばポリウレタンで形成されていてよい。
【００１３】
細長い引張り部品の前方領域は好ましくは、締結具ステム把持アセンブリをそれに直接的または間接的に取付けさせるように配置される。細長い引張り部品は、好ましくは中空ピストン部品全体を貫通して延在する。
【００１４】
本発明の好ましい実施形態において、細長い引張り部品はその長さに沿って中空であり、こうして使用中、締結具の破断したステムが細長い引張り部品の前端部から後端部まで貫通して走行しそこから、例えば締結具取付け工具に取付けられた締結具ステム収集用容器内へと放出されることを可能にしている。細長い引張り部品の後部領域には、好ましくは、使用中に、締結具の破断したステムを油圧シリンダの後端部を超えて誘導するのを少なくとも補助するために、細長い引張り部品の残りの部分に取付けられるかまたはこの部分と一体として形成されている中空誘導部分が含まれている。
【００１５】
中空ピストン部品には、好ましくは、その周囲に１つ以上のシールを担持して、ピストンアセンブリと油圧シリンダとの間を封止し、こうしてそれらの間を油圧油が流動するのを妨げている。有利には、中空ピストン部品は、細長い引張り部品の長さの一部分に沿って互いに離隔された少なくとも２つのこのような周囲シールを担持していてよい。このシールまたは各シールは、好ましくはポリマー材料、例えばポリウレタンで形成されている。中空ピストン部品は、中空ピストン部品の中空領域と中空ピストン部品の周囲との間を貫通して延在する開口部を２つの周囲シールの間の１つの場所に含み、この開口部は細長い引張り部品の周囲とその中空領域の間に延在する第２の開口部（６７）と連通している。開口部は、周囲シールの間の空気圧の上昇を緩和／防止するために具備されていてよい。中空ピストン部品は、２つの周囲シールの間に配置された軸受片をその周囲に担持している。軸受片（存在する場合）は、シリンダ内の油圧ピストンアセンブリの集中を助けることができ、かつ／または、例えば金属対金属の接触を防止（または削減）するかもしれない。
【００１６】
締結具取付け工具内のバネおよび／または他の弾性的に圧縮可能な手段は、細長い引張り部品のストッパ部分および／または中空ピストン部品の後部表面と接触して、ひとたび締結具のステムが引き戻され（任意には除去され）、ピストン部分の前の油圧が軽減された時点で、油圧ピストンアセンブリをその順方向または出発位置まで戻し得る。
【００１７】
本発明に係る締結具取付け工具は、好ましくは、例えば特許文献１、特許文献２および特許文献３の中で開示されているタイプの油圧−空気圧式工具である。
【００１８】
本発明に係る締結具取付け工具は、例えば、手持ち式工具またはロボットまたは他の自動締結具取付け装置によって操作されるように構成された工具（例えば工具モジュール）であってよい。
【００１９】
好ましくは、本発明は、本明細書中に記載されている締結具取付け工具を含む、自動締結具取付け装置またはロボット制御の締結具取付け装置を提供する。
【００２０】
本発明の好ましい実施形態について、ここで、添付図面を参照しながら一例として説明する。
【図面の簡単な説明】
【００２１】
【図１】本発明に係る締結具取付け工具の一実施形態の斜視図である。
【図２】図１中に示された締結具取付け工具の断面図である。
【図３】図２の工具の細部、詳細には取っ手の上に位置する取付け工具の主要本体の一部分を示す図である。
【図４ａ】図１〜３に示された締結具取付け工具の油圧ピストンアセンブリの主要部分の断面図である。
【図４ｂ】図１〜３に示された締結具取付け工具の油圧ピストンアセンブリの主要部分の斜視図である。
【図５ａ】本発明に係る締結具取付け工具の別の実施形態の油圧ピストンアセンブリの主要部分の断面図である。
【図５ｂ】本発明に係る締結具取付け工具の別の実施形態の油圧ピストンアセンブリの主要部分の斜視図である。
【発明を実施するための形態】
【００２２】
図１は、ブレイクステムリベット取付け工具を含む、本発明に係る手持ち式締結具取付け工具の一実施形態を示す。締結具取付け工具は、取っ手３を含む主要本体１を含み、工具は同様に空気圧シリンダおよびピストン構成５、ならびに締結具ステム収集容器７も含んでいる。工具は、使用中、給気コネクタ９に取付けてよい給気ホース（図示せず）を介して工具に供給される圧縮空気による空気圧を動力としている。給気コネクタ９は、それぞれ工具の取っ手３の下で主要本体１の右側および左側に配置された２つの給気開口部１１ａおよび１１ｂのいずれかに取付けられてよい。工具は使用中、取っ手３の上に配置されたトリガーバルブ１３を用いて起動させられる。締結具支持部分１５（一般にアンビルと呼ばれる）が、主要本体１の前端部１７に配置され、締結具ステム収集容器７は、主要本体の反対側の後端部１９に配置される。使用中のラインから工具を懸垂することのできる懸垂リング部分２１が、前端部と後端部の間で主要本体１に取り付けられている。
【００２３】
図２は、図１の手持ち式締結具取付け工具を断面図で示す。両方共公知である空気圧シリンダおよびピストン構成５および油圧マスターシリンダおよびピストン構成２３が示されている。使用中、ユーザーがトリガーバルブ１３を起動することで、給気ホースからの空気は管２７を介して空気圧シリンダ２５内に進入し、空気圧ピストン２９を取っ手３に向かって上向きに強制することになる。空気圧ピストン２９に取付けられ空気圧ピストン２９から延在しているのは、細長い油圧マスターピストン３１であり、油圧マスターシリンダ３３内でこのピストンの前方には別個の油圧マスターピストン部材３５がある。図２に示されているように、空気圧ピストン２９、油圧マスターピストン３１および油圧マスターピストン部材３５は全て、工具の主要本体１の方向で上向きに強制されている。しかしながら、明確さを期して、図２では油圧マスターシリンダ３３内に油圧油は含まれておらず、そのため、（スレーブ）油圧ピストンアセンブリ３７（以下で説明）はその後方位置に示されていない。当業者であれば、実際には、油圧油が存在する場合、スレーブ油圧ピストンアセンブリ３７は、空気圧ピストンおよびマスター油圧ピストンがそれらの図示された位置にある状態で、後ろ方向に強制されているはずであるということを理解するであろう。空気圧シリンダおよびピストンならびに油圧マスターシリンダおよびピストンの図示された公知の構成は、いわゆる空気圧−油圧増強装置を構成する。
【００２４】
図３、４ａおよび４ｂを参照すると、取っ手３の上に位置する締結具取付け工具の主要本体１の上部部分には、（スレーブ）油圧シリンダ３９および、締結具のステム（図示せず）を引き込む上で使用するための油圧シリンダ３９内に配置された（スレーブ）油圧ピストンアセンブリ３７が含まれる。油圧ピストンアセンブリ３７は、細長い引張り部品４１と、細長い引張り部品の上に組付けられて細長い引張り部品が中空ピストン部品を貫通して延在するようになっている別個の中空ピストン部品４３とを含む。使用中、トリガーバルブ１３が起動され、油圧油がマスター油圧シリンダ３３外へ強制された場合、油圧油は、ピストンアセンブリ３７の中空ピストン部品４３の前で（スレーブ）油圧シリンダ３９内に入り、こうしてピストンアセンブリ３７をシリンダの内部で後方に強制する。こうして、細長い引張り部品４１の前面に直接的または間接的に取付けられた締結具ステム把持アセンブリ（図示せず）は、取り付け中の締結具のステム（図示せず）を引き込み除去することになる。
【００２５】
中空ピストン部品４３は、油圧ピストンアセンブリ３７の油圧油接触ピストン表面４５の大部分を提供し、周囲シール６１と共に、油圧油接触ピストン表面の全体を提供する。油圧ピストンアセンブリ３７の細長い引張り部品４１は、ストッパ部分４７を含み、このストッパ部分４７に対して、中空ピストン部品４３のストッパ領域が当接する。細長い引張り部品６１のストッパ部分４７は、横方向に外向きの突出部分を含んでいる。使用中、油圧シリンダ３９内の油圧油は、細長い引張り部品４１のストッパ部分４７に対して中空ピストン部品４３の反対側に位置している。中空ピストン部品４３の一部分が細長い引張り部品４１のストッパ部分４７の大部分の周りに延在している。例示された実施形態において、油圧ピストンアセンブリ３７の中空ピストン部品４３は、細長い引張り部品４１上に圧入されている。細長い引張り部品４１と中空ピストン部品４３の間にはＯリングシール５１が配置されている。
【００２６】
油圧ピストンアセンブリ３７の細長い引張り部品４１のねじ付き前部領域５３は、締結具ステム把持アセンブリ（図示せず）をそれに直接的または間接的に取付けさせるように配置されている。細長い引張り部品４１はその長さに沿って中空であり、こうして使用中、締結具の破断したステムがその前端部５５から後端部５７まで貫通して走行しそこから締結具取付け工具に取付けられた締結具ステム収集容器７内へと放出されることを可能にしている。細長い引張り部品４１の後部領域５９は、使用中に、締結具の破断したステムを油圧シリンダ３９の後端部を超えて誘導するための中空誘導部分を含んでいる。
【００２７】
中空ピストン部品４３は、その周囲に２個の離隔されたシール６１および６３を担持して、油圧ピストンアセンブリ３７と油圧シリンダ３９との間を封止し、こうしてそれらの間を油圧油が流動するのを妨げている。中空ピストン部品４は同様に、中空ピストン部品の中空領域と中空ピストン部品の周囲との間で貫通して延在する開口部６５を２つの周囲シールの間の１つの場所に含み、開口部は細長い引張り部品４１の周囲とその中空領域の間に延在する第２の開口部６７と連通している。開口部６５および６７は、周囲シール６１および６３の間の空気圧の上昇を緩和／防止するために具備される。中空ピストン部品は同様に、２つの周囲シール６１および６３の間に配置された軸受片６９をその周囲に担持している。軸受片６９は、シリンダ３９内の油圧ピストンアセンブリ３７の集中を助け、かつピストンとシリンダ間の金属対金属の接触を防止（または削減）するかもしれない。
【００２８】
螺旋バネ７１は、細長い引張り部品４１のストッパ部分４７および中空ピストン部品４３の後部表面と接触して、（シリンダ３９の同じ領域内の圧縮空気と協同して）ひとたび締結具のステムが引き戻され除去され、ピストン部分前方の油圧がユーザーによるトリガーバルブ１３の解除によって軽減された時点で、油圧ピストンアセンブリ３７をその前方方向または出発位置まで戻す。
【００２９】
図５ａおよび５ｂは、図２、３、４ａおよび４ｂに示されているものに類似する油圧ピストンアセンブリ３７を示し、その同じまたは類似の部分を表わすために同じ参照番号が使用されている。図４ａおよび４ｂにおいて、そして図５ａおよび５ｂにおいても、シール６１および６３ならびに軸受片６９は省略されている。
【００３０】
以上で説明した通り、両方の例示された実施形態の油圧ピストンアセンブリ３７の細長い引張り部品４１および中空ピストン部品４３は、異なる材料で形成されている。詳細には、中空ピストン部品４３の材料は、細長い引張り部品４１の材料に比べ低い密度、低い強度そして低い靱性を有する。本発明の例示されている実施形態において、中空ピストン部品４３は、アルミニウム合金の形の低密度金属材料で形成されている。細長い引張り部品４１は高強度鋼から形成されている。
【００３１】
同様に、以上で説明した通り、このような異なる材料で油圧ピストンアセンブリ３７の中空ピストン部品４３と細長い引張り部品４１とを形成することで、各部分が別個に最適化されるという利点が得られ、その結果メーカーとエンドユーザーの両方にとっての著しい恩恵がもたらされる。こうして、使用される高密度、高強度、高靱性材料（高強度鋼）の量は最小限に抑えられ、ひいてはこのような材料の機械加工量（さらには関与する時間、労力およびコスト）も最小化される。さらに、油圧ピストンアセンブリの中空ピストン部品に付随する重量、コストおよび機械加工の問題点は最小限に抑えられる。その上、締結具取付け工具のユーザーには、細長い引張り部品４１および中空ピストン部品４３各々の材料および機能的特性が別個に最適化されていることから、より耐久性のあるものでもあり得るより軽量の工具が提供される。より軽量の工具は、その使用をより容易にしより大きな耐久性を提供するかもしれない。
【００３２】
以上の説明および図面は本発明の特定の例示的実施形態のものであるが、本発明の他の実施形態は特許請求の範囲内に含まれているということが理解される。
【図１】
2016078123.tif 000003
【図２】
2016078123.tif 000004
【図３】
2016078123.tif 000005
【図４ａ】
2016078123.tif 000006
【図４ｂ】
2016078123.tif 000007
【図５ａ】
2016078123.tif 000008
【図５ｂ】
2016078123.tif 000009
【外国語明細書】
2016078123000001.pdf